(57)【要約】【課題】管理サイクルの異なる製品の在庫管理を統合して、効率的に生産計画を立案することができる在庫管理システム、在庫管理方法及び在庫管理プログラムを提供する。【解決手段】管理コンピュータ２１は、販売計画データ記憶部２３から販売計画を取得し、販売計画数の日ばらし処理を実行する。更に、管理コンピュータ２１は、日次生産数を算出し、生産計画データ記憶部２４に記録する。次に、週初では、管理コンピュータ２１は、管理形態データ記憶部２２から週次管理対象を特定し、生産計画データ記憶部２４において処理対象の生産計画を特定する。次に、管理コンピュータ２１は、在庫管理データ記憶部２５から現在の在庫数を取得し、適正在庫データ記憶部２６に記録された適正在庫を維持できるように生産数を修正する。【選択図】図１
2007094717.tif 000002
【特許請求の範囲】
【請求項１】
短期サイクル又は長期サイクルからなる管理サイクルの中で、販売毎に適用される管理サイクルを特定するためのデータを記録した管理形態データ記憶手段と、
前記販売毎に販売計画データを記録した販売計画データ記憶手段と、
前記販売毎に逐次、現在在庫量に関するデータを記録する在庫管理データ記憶手段と、
適正在庫量に関するデータを記録した適正在庫データ記憶手段と、
生産計画を算出する管理コンピュータとを備えた在庫管理システムであって、
前記管理コンピュータが、
前記長期サイクルにより、前記販売計画データ記憶手段に記録された販売計画データに基づいて、販売毎に日次在庫量を算出し、現在在庫量から適正在庫量を差し引いた差分を算出し、前記日次在庫量から前記差分を差し引いて日次生産量を算出する生産計画生成手段と、
前記短期サイクルが適用される販売を特定し、前記短期サイクルにより、前記在庫管理データ記憶手段に記録された現在在庫量を取得し、この現在在庫量から適正在庫量を差し引いた差分を算出し、この販売の日次生産量から前記差分を差し引く修正処理を実行する生産計画修正手段
として機能することを特徴とする在庫管理システム。
【請求項２】
前記販売を特定する情報には、販売の対象となる機種を特定する機種特定識別子を含み、
前記管理コンピュータが、前記機種特定識別子毎に、日次在庫量を総計する手段として更に機能することを特徴とする請求項１に記載の在庫管理システム。
【請求項３】
前記在庫管理システムは、計画日に対応させて、販売計画総量を分配させる分配データを記録した分配データ記憶手段を更に備え、
前記管理コンピュータが、販売毎に、販売計画データに含まれる総量に、前記分配データ記憶手段に記録された分配データを適用して、日次在庫量を算出することを特徴とする請求項１又は２に記載の在庫管理システム。
【請求項４】
短期サイクル又は長期サイクルからなる管理サイクルの中で、販売毎に適用される管理サイクルを特定するためのデータを記録した管理形態データ記憶手段と、
前記販売毎に販売計画データを記録した販売計画データ記憶手段と、
前記販売毎に逐次、現在在庫量に関するデータを記録する在庫管理データ記憶手段と、
適正在庫量に関するデータを記録した適正在庫データ記憶手段と、
生産計画を算出する管理コンピュータとを備えた在庫管理システムを用いて在庫の管理を行なう方法であって、
前記管理コンピュータが、
前記長期サイクルにより、前記販売計画データ記憶手段に記録された販売計画データに基づいて、販売毎に日次在庫量を算出し、現在在庫量から適正在庫量を差し引いた差分を算出し、前記日次在庫量から前記差分を差し引いて日次生産量を算出する生産計画生成段階と、
前記短期サイクルが適用される販売を特定し、前記短期サイクルにより、前記在庫管理データ記憶手段に記録された現在在庫量を取得し、この現在在庫量から適正在庫量を差し引いた差分を算出し、この販売の日次生産量から前記差分を差し引く修正処理を実行する生産計画修正段階と
を実行することを特徴とする在庫管理方法。
【請求項５】
短期サイクル又は長期サイクルからなる管理サイクルの中で、販売毎に適用される管理サイクルを特定するためのデータを記録した管理形態データ記憶手段と、
前記販売毎に販売計画データを記録した販売計画データ記憶手段と、
前記販売毎に逐次、現在在庫量に関するデータを記録する在庫管理データ記憶手段と、
適正在庫量に関するデータを記録した適正在庫データ記憶手段と、
生産計画を算出する管理コンピュータとを備えた在庫管理システムを用いて在庫の管理を行なうプログラムであって、
前記管理コンピュータを、
前記長期サイクルにより、前記販売計画データ記憶手段に記録された販売計画データに基づいて、販売毎に日次在庫量を算出し、現在在庫量から適正在庫量を差し引いた差分を算出し、前記日次在庫量から前記差分を差し引いて日次生産量を算出する生産計画生成手段と、
前記短期サイクルが適用される販売を特定し、前記短期サイクルにより、前記在庫管理データ記憶手段に記録された現在在庫量を取得し、この現在在庫量から適正在庫量を差し引いた差分を算出し、この販売の日次生産量から前記差分を差し引く修正処理を実行する生産計画修正手段
として機能させることを特徴とする在庫管理プログラム。
【発明の詳細な説明】
【技術分野】
【０００１】
本発明は、管理サイクルの異なる製品の在庫管理システム、在庫管理方法及び在庫管理プログラムに関する。
【背景技術】
【０００２】
企業の経営、特に製造業の生産管理においては、生産効率の向上を図るためにサプライチェーンマネジメントが重要になってきている。サプライチェーンマネジメントを的確に行なうためには、各プロセスの状況把握が大切である。例えば、在庫を多くすれば、迅速に製品を提供することができるが、保管や不良在庫コスト等に対する負担が大きくなる。一方、在庫を減らせば、保管コスト等を削減できるが、製品販売の機会を逸する可能性がある。つまり、各プロセスの状況把握を的確に行なうことにより、在庫数を減らし、販売数を増加することができる。そこで、より適切なサプライチェーンマネジメントを行なうためのリードタイム管理に関する技術が開示されている（特許文献１参照。）。この文献記載の技術では、個別に製品を識別する製品識別子に関連付けて、サプライチェーンを構成する各プロセスを管理する複数のシステム群とネットワークを介して接続された管理コンピュータを用いてリードタイムの管理を行なう。ここでは、管理コンピュータが、リードタイムを取得する対象の製品に関する情報に基づいて製品の製品識別子を抽出する。次に、抽出された製品識別子に関連付けられたリードタイムに関するデータを、複数のシステム群から抽出する。そして、所定の基準値との比較に基づいてプロセス毎のリードタイムを出力する。
【０００３】
上記管理においては、販売組織（販社）と生産組織（生産区）との間で情報を共有し、密接な連携を維持することが大切である。しかし、各製品や各販社には、それぞれの状況がある。例えば、少量多品種の製品に関しては変化が緩やかであるため、月次管理を行なう場合がある。この月次管理においては、販社からの要求数に応じて、生産区で生産を行ない、販社に提供することにより管理することができる。このような少量多品種の製品は機種の数が多いため、機種数比で見た場合、大半を占めることになる。
【０００４】
一方、出荷金額比の観点から見た場合には、量産品が占める割合の方が多い。このような製品は、販売状況の変化が大きいため、週次管理を行なう場合がある。この週次管理においては、在庫数の管理を行ない、適正在庫数を維持できるように、不足数量を生産し、補充することにより管理することができる。
【０００５】
また、これらの管理形態は、機種のみに依存するわけではない。例えば、同じ機種であっても、販社によって週次管理を行なっていたり、月次管理を行なっていたりする。
【特許文献１】特開２００４−３２６４８１号公報（第１頁）
【発明の開示】
【発明が解決しようとする課題】
【０００６】
このように、管理サイクルとしては週次管理と月次管理の２種類であっても、機種や販社によって管理サイクルの適用が異なっている場合がある。その一方で、生産区は、月次管理の製品の数と、週次管理の製品の数とを総計した数量を生産する必要がある。このような場合、異なる管理形態が混在していると、生産計画の立案が煩雑になる。
【０００７】
また、すべての製品を週次管理とすることも可能であるが、この場合、月次管理で対応可能な製品にまで週次管理を行なうことになり、不必要に管理負荷が大きくなる。
本発明は、上記課題を解決するためになされたものであり、その目的は、管理サイクル
の異なる製品の在庫管理を統合して、効率的に生産計画を立案することができる在庫管理システム、在庫管理方法及び在庫管理プログラムを提供することにある。
【課題を解決するための手段】
【０００８】
上記問題点を解決するために、請求項１に記載の発明は、短期サイクル又は長期サイクルからなる管理サイクルの中で、販売毎に適用される管理サイクルを特定するためのデータを記録した管理形態データ記憶手段と、前記販売毎に販売計画データを記録した販売計画データ記憶手段と、前記販売毎に逐次、現在在庫量に関するデータを記録する在庫管理データ記憶手段と、適正在庫量に関するデータを記録した適正在庫データ記憶手段と、生産計画を算出する管理コンピュータとを備えた在庫管理システムであって、前記管理コンピュータが、前記長期サイクルにより、前記販売計画データ記憶手段に記録された販売計画データに基づいて、販売毎に日次在庫量を算出し、現在在庫量から適正在庫量を差し引いた差分を算出し、前記日次在庫量から前記差分を差し引いて日次生産量を算出する生産計画生成手段と、前記短期サイクルが適用される販売を特定し、前記短期サイクルにより、前記在庫管理データ記憶手段に記録された現在在庫量を取得し、この現在在庫量から適正在庫量を差し引いた差分を算出し、この販売の日次生産量から前記差分を差し引く修正処理を実行する生産計画修正手段として機能することを要旨とする。
【０００９】
請求項２に記載の発明は、請求項１に記載の在庫管理システムにおいて、前記販売を特定する情報には、販売の対象となる機種を特定する機種特定識別子を含み、前記管理コンピュータが、前記機種特定識別子毎に、日次在庫量を総計する手段として更に機能することを要旨とする。
【００１０】
請求項３に記載の発明は、請求項１又は２に記載の在庫管理システムにおいて、前記在庫管理システムは、計画日に対応させて、販売計画総量を分配させる分配データを記録した分配データ記憶手段を更に備え、前記管理コンピュータが、販売毎に、販売計画データに含まれる総量に、前記分配データ記憶手段に記録された分配データを適用して、日次在庫量を算出することを要旨とする。
【００１１】
請求項４に記載の発明は、短期サイクル又は長期サイクルからなる管理サイクルの中で、販売毎に適用される管理サイクルを特定するためのデータを記録した管理形態データ記憶手段と、前記販売毎に販売計画データを記録した販売計画データ記憶手段と、前記販売毎に逐次、現在在庫量に関するデータを記録する在庫管理データ記憶手段と、適正在庫量に関するデータを記録した適正在庫データ記憶手段と、生産計画を算出する管理コンピュータとを備えた在庫管理システムを用いて在庫の管理を行なう方法であって、前記管理コンピュータが、前記長期サイクルにより、前記販売計画データ記憶手段に記録された販売計画データに基づいて、販売毎に日次在庫量を算出し、現在在庫量から適正在庫量を差し引いた差分を算出し、前記日次在庫量から前記差分を差し引いて日次生産量を算出する生産計画生成段階と、前記短期サイクルが適用される販売を特定し、前記短期サイクルにより、前記在庫管理データ記憶手段に記録された現在在庫量を取得し、この現在在庫量から適正在庫量を差し引いた差分を算出し、この販売の日次生産量から前記差分を差し引く修正処理を実行する生産計画修正段階とを実行することを要旨とする。
【００１２】
請求項５に記載の発明は、短期サイクル又は長期サイクルからなる管理サイクルの中で、販売毎に適用される管理サイクルを特定するためのデータを記録した管理形態データ記憶手段と、前記販売毎に販売計画データを記録した販売計画データ記憶手段と、前記販売毎に逐次、現在在庫量に関するデータを記録する在庫管理データ記憶手段と、適正在庫量に関するデータを記録した適正在庫データ記憶手段と、生産計画を算出する管理コンピュータとを備えた在庫管理システムを用いて在庫の管理を行なうプログラムであって、前記管理コンピュータを、前記長期サイクルにより、前記販売計画データ記憶手段に記録され
た販売計画データに基づいて、販売毎に日次在庫量を算出し、現在在庫量から適正在庫量を差し引いた差分を算出し、前記日次在庫量から前記差分を差し引いて日次生産量を算出する生産計画生成手段と、前記短期サイクルが適用される販売を特定し、前記短期サイクルにより、前記在庫管理データ記憶手段に記録された現在在庫量を取得し、この現在在庫量から適正在庫量を差し引いた差分を算出し、この販売の日次生産量から前記差分を差し引く修正処理を実行する生産計画修正手段として機能させることを要旨とする。
【００１３】
（作用）
本発明によれば、長期サイクルにより、販売計画データ記憶手段に記録された販売計画データに基づいて、販売毎に日次在庫量を算出し、現在在庫量から適正在庫量を差し引いた差分を算出し、日次在庫量から差分を差し引いて日次生産量を算出する。これにより、短期サイクル又は長期サイクルからなる管理サイクルの販売が実行される中で、統合して管理を行なうことができる。更に、短期サイクルが適用される販売を特定し、短期サイクルにより、在庫管理データ記憶手段に記録された現在在庫量を取得し、この現在在庫量から適正在庫量を差し引いた差分を算出し、この販売の日次生産量から差分を差し引く修正処理を実行する。これにより、短期サイクルに応じて、生産計画を修正することができる。従って、短期サイクル又は長期サイクルからなる管理サイクルが混在する場合にも、効率的に生産計画を立案することができる。
【００１４】
本発明によれば、管理コンピュータが、機種特定識別子毎に、日次在庫量を総計するため、短期サイクル又は長期サイクルからなる管理サイクルが混在する場合にも、機種毎に生産総量を算出することができる。
【００１５】
本発明によれば、管理コンピュータが、販売毎に、販売計画データに含まれる総量に、分配データ記憶手段に記録された分配データを適用して、日次在庫量を算出する。これにより、販売総量を取得できれば、日毎の販売予定数に展開することができる。
【発明の効果】
【００１６】
本発明によれば、管理サイクルの異なる製品の在庫管理を統合して、効率的に生産計画を立案することができる。
【発明を実施するための最良の形態】
【００１７】
以下、本発明を具体化した一実施形態を、図１〜図１０を用いて説明する。本実施形態では、販社で販売される製品を、生産区で生産する場合の生産管理を行なうための在庫管理システム、在庫管理方法及び在庫管理プログラムとして説明する。本実施形態では、在庫管理される製品は、短期サイクルの管理サイクルとして週次管理の製品と、長期サイクルの管理サイクルとして月次管理の製品とを想定する。
【００１８】
図１に示すように、販社システム１０が、ネットワークを介して生産管理サーバ２０に接続されている。この生産管理サーバ２０が在庫管理システムとして機能する。そして、生産管理サーバ２０で生成された生産計画は、生産区システム３０に提供される。
【００１９】
販社システム１０は、製品を販売する販社のコンピュータシステムであり、制御手段（ＣＰＵ）、記憶手段（ＲＡＭ、ＲＯＭ等）、通信手段等を備える。この販社システム１０は、販売計画データや在庫データを、生産管理サーバ２０に提供する。ここで、販社システム１０は、販売計画データに関しては月毎に提供し、在庫データに関して逐次、提供する。
【００２０】
この販社システム１０に接続された生産管理サーバ２０は、販社の販売計画を受けて、各製品の生産計画を立案するコンピュータサーバである。この生産管理サーバ２０は、管
理コンピュータ２１を備える。管理コンピュータ２１は、図示しない制御手段（ＣＰＵ）、記憶手段（ＲＡＭ、ＲＯＭ等）、通信手段等を備える。そして、この生産管理サーバ２０は、後述する処理（生産計画生成段階、生産計画修正段階等を含む処理）を行なう。このための在庫管理プログラムを実行することにより、管理コンピュータ２１は、特許請求の範囲に記載の生産計画生成手段、生産計画修正手段等として機能する。
【００２１】
この生産管理サーバ２０は、管理形態データ記憶手段としての管理形態データ記憶部２２、販売計画データ記憶手段としての販売計画データ記憶部２３、生産計画データ記憶部２４、在庫管理データ記憶手段としての在庫管理データ記憶部２５及び適正在庫データ記憶手段としての適正在庫データ記憶部２６、日ばらしデータ記憶部２７を備える。
【００２２】
管理形態データ記憶部２２には、図２に示すように、各販社で販売する製品の管理形態を特定するための管理形態データ２２０が格納されている。この管理形態データ２２０は、各販社で販売する製品の管理形態が決定された場合に登録され、変更された場合には更新される。管理形態データ２２０は、販社識別子、製品識別子及び管理形態識別子に関するデータを含んで構成される。
【００２３】
販社識別子データ領域には、各販社を識別するために割り振られた識別子に関するデータが記録される。
製品識別子データ領域には、この販社で販売する製品に関して、各製品を識別するために割り振られた識別子に関するデータが記録される。ここで、販社識別子と製品識別子とを組み合わせることにより、各販売を特定する情報として機能させることができる。
【００２４】
管理形態識別子データ領域には、この販社において、この製品を管理する場合の管理形態を特定するためのデータが記録される。本実施形態では、この管理形態識別子として、週次管理（短期サイクル管理）を特定するための週次管理フラグと、月次管理（長期サイクル管理）を特定するための月次管理フラグとがある。
【００２５】
この販売計画データ記憶部２３には、図３に示すように、各販社で販売される各製品の販売計画データ２３０が格納されている。この販売計画データ２３０は、各販社で販売計画が立案された場合に販社システム１０に登録され、生産管理サーバ２０に提供された場合に記録される。販売計画データ２３０は、計画月、販社識別子、製品識別子及び販売計画数に関するデータを含んで構成される。
【００２６】
計画月データ領域には、販売計画を適用する月に関するデータが記録される。
販社識別子データ領域には、各販社を識別するために割り振られた識別子に関するデータが記録される。
【００２７】
製品識別子データ領域には、この販社で販売する製品に関して、各製品を識別するために割り振られた識別子に関するデータが記録される。
販売計画数データ領域には、計画月に、この販社において、この製品の販売を計画している予定数（総数）に関するデータが記録される。
【００２８】
生産計画データ記憶部２４には、図４に示すように、各販社で販売される各製品の生産計画データ２４０が格納される。この生産計画データ２４０は、各販社で販売する各製品の生産計画を算出した場合に記録される。生産計画データ２４０は、計画月、販社識別子、製品識別子及び生産計画に関するデータを含んで構成される。
【００２９】
計画月データ領域には、生産計画を適用する月に関するデータが記録される。
販社識別子データ領域には、各販社を識別するために割り振られた識別子に関するデー
タが記録される。
【００３０】
製品識別子データ領域には、この販社で販売する製品に関して、製品毎に識別するために割り振られた識別子に関するデータが記録される。
生産計画データ領域には、この販社において、この製品の生産を計画している予定数を特定するためのデータが記録される。ここで、生産計画は、計画月の日毎に対応させた日次生産数から構成される。
【００３１】
在庫管理データ記憶部２５には、図５に示すように、各販社で販売される各製品の在庫状況に関する在庫データ２５０が格納されている。この在庫データ２５０は、各販社で販売する各製品の在庫数が販社システム１０に登録された場合に、この在庫管理データ記憶部２５にも記録される。在庫データ２５０は、日付、販社識別子、製品識別子及び在庫数に関するデータを含んで構成される。
【００３２】
日付データ領域には、在庫数を登録した日付に関するデータが記録される。
販社識別子データ領域には、各販社を識別するために割り振られた識別子に関するデータが記録される。
【００３３】
製品識別子データ領域には、この販社で販売する製品に関して、製品毎に識別するために割り振られた識別子に関するデータが記録される。
在庫数データ領域には、この販社における、この製品の在庫数に関するデータが記録される。
【００３４】
適正在庫データ記憶部２６には、図６に示すように、各販社で販売される各製品の適正在庫に関する適正在庫データ２６０が格納されている。この適正在庫データ２６０は、各販社で販売する各製品の適正在庫数が決定され、登録された場合に記録される。適正在庫データ２６０は、販社識別子、製品識別子及び適正在庫数に関するデータを含んで構成される。
【００３５】
販社識別子データ領域には、各販社を識別するために割り振られた識別子に関するデータが記録される。
製品識別子データ領域には、この販社で販売する製品に関して、製品毎に識別するために割り振られた識別子に関するデータが記録される。
適正在庫数データ領域には、この販社において、この製品の適正在庫数に関するデータが記録される。
【００３６】
日ばらしデータ記憶部２７には、図７に示すように、月毎の販売計画数を日次の販売数に展開するための分配データとして日ばらしデータ２７０が格納されている。この日ばらしデータ２７０は、製品毎に日ばらしを行なうための割合が決定され、登録された場合に記録される。日ばらしデータ２７０は、製品識別子及び日ばらしテーブルに関するデータを含んで構成される。
【００３７】
製品識別子データ領域には、この販社で販売する製品に関して、製品毎に識別するために割り振られた識別子に関するデータが記録される。
日ばらしテーブルデータ領域には、毎月の日数毎に、月毎の販売計画数を分配する割合に関するデータが記録される。日ばらしテーブルは、各割合を合計すると「１００％」になるように設定されている。
【００３８】
次に、上記のようなシステムを用いて、生産計画を立案・管理する場合の処理手順を説明する。本実施形態で行われる生産計画管理処理（図８）は、生産計画立案処理（図９）
、週次修正処理（図１０）を含んでいる。以下、各処理を分けて説明する。
【００３９】
＜生産計画管理処理＞
生産管理サーバ２０の管理コンピュータ２１は、生産計画管理処理を実行する。この場合、管理コンピュータ２１は、スケジュール管理処理を実行する（ステップＳ１−１）。具体的には、管理コンピュータ２１は、内蔵するカレンダ機能を用いて、現在日付を取得する。
【００４０】
そして、管理コンピュータ２１は、取得した現在日付が週初に該当するかどうかを判断する（ステップＳ１−２）。取得した現在日付が週初に該当しない場合（ステップＳ１−２において「ＮＯ」の場合）には、管理コンピュータ２１は、スケジュール管理を継続する（ステップＳ１−１）。
【００４１】
一方、取得した現在日付が週初に該当する場合（ステップＳ１−２において「ＹＥＳ」の場合）には、管理コンピュータ２１は、現在日付が月初に該当するかどうかを判断する（ステップＳ１−３）。
【００４２】
現在日付が月初に該当する場合（ステップＳ１−３において「ＹＥＳ」の場合）、管理コンピュータ２１は、まず、生産計画立案処理を実行する（ステップＳ１−４）。この生産計画立案処理は、各販社の製品毎に日次生産数を決める処理である。生産管理サーバ２０の管理コンピュータ２１は、全販社の全製品に対して、各販社の製品毎に順次、この生産計画立案処理を実行する。
【００４３】
（生産計画立案処理）
この生産計画立案処理を、図９を用いて説明する。ここでは、まず、管理コンピュータ２１は、生産計画立案処理の対象とする販社の製品を、販社識別子、製品識別子を用いて特定する。
【００４４】
そして、管理コンピュータ２１は、販売計画を取得する（ステップＳ２−１）。ここでは、管理コンピュータ２１は、処理対象の販社識別子、製品識別子を用いて、販売計画データ記憶部２３に記録された販売計画データ２３０を特定し、処理対象の製品の販売計画数を取得する。
【００４５】
そして、管理コンピュータ２１は、取得した販売計画数の日ばらし処理を実行する（ステップＳ２−２）。ここでは、管理コンピュータ２１は、処理対象の販社識別子、製品識別子を用いて、日ばらしデータ記憶部２７に記録された日ばらしテーブルを抽出する。そして、処理対象の製品の販売計画数に対して、抽出した日ばらしテーブルの割合を計画日（例えば営業日）毎に乗算することにより、計画日毎の日次在庫計画数から構成された日次在庫計画を算出する。
【００４６】
次に、管理コンピュータ２１は、現在の在庫数を取得する（ステップＳ２−３）。ここでは、管理コンピュータ２１は、処理対象の販社識別子、製品識別子を用いて、在庫管理データ記憶部２５に記録された現在の在庫数を取得する。
【００４７】
次に、管理コンピュータ２１は、日次生産数を算出する（ステップＳ２−４）。この場合、まず、管理コンピュータ２１は、処理対象の販社識別子、製品識別子を用いて、適正在庫データ記憶部２６から適正在庫数を取得する。そして、管理コンピュータ２１は、先に取得した現在の在庫数から適正在庫数を差し引いた差分を算出する。次に、管理コンピュータ２１は、算出した日次在庫計画数の期初の値から、この差分を差し引くことにより、計画日毎の日次生産数から構成された日次生産計画を算出する。
【００４８】
そして、管理コンピュータ２１は、日次生産計画を記録する（ステップＳ２−５）。ここでは、管理コンピュータ２１は、処理対象の販社識別子、製品識別子に関連付けて、計画日毎の日次生産数から構成された日次生産計画を生産計画データ記憶部２４に記録する。
【００４９】
処理対象として特定した販社識別子、製品識別子の製品についての処理を終了した場合、まだ生産計画立案処理を終了していない製品を特定し、各ステップＳ２−１〜Ｓ２−５を繰り返す。全販社の全製品に対して、生産計画立案処理を終了した場合には、図８の処理に戻る。
【００５０】
ここでは、管理コンピュータ２１は、生産総数算出処理を実行する（ステップＳ１−５）。この生産総数算出処理では、すべての日次生産計画を、計画日毎、製品識別子毎に合計して、全体の生産計画を立案する。この生産計画は、生産区システム３０に提供され、生産区は、この生産計画に基づいて各製品の生産を行なう。
【００５１】
（週次修正処理）
一方、取得した現在日付が月初に該当しない場合（ステップＳ１−３において「ＮＯ」の場合）、管理コンピュータ２１は、週次修正処理を実行する（ステップＳ１−６）。この週次修正処理は、週次管理の製品についての生産計画の修正に関する処理である。以下、図１０を用いて説明する。
【００５２】
この処理は、週次管理の製品に対してのみ実行される。そこで、管理コンピュータ２１は、週次管理対象を特定する（ステップＳ３−１）。ここでは、管理コンピュータ２１は、管理形態データ記憶部２２から、週次管理フラグが記録された管理形態データ２２０を抽出する。そして、この管理形態データ２２０に含まれる製品に対して、各販社の製品毎に順次、この週次修正処理を実行する。まず、管理コンピュータ２１は、週次修正処理の対象とする販社の製品を、販社識別子、製品識別子を用いて特定する。
【００５３】
そして、管理コンピュータ２１は、処理対象の生産計画を特定する（ステップＳ３−２）。ここでは、管理コンピュータ２１は、処理対象の販社識別子、製品識別子を用いて、生産計画データ記憶部２４から生産計画を取得する。
【００５４】
次に、管理コンピュータ２１は、現在の在庫数を取得する（ステップＳ３−３）。ここでは、管理コンピュータ２１は、処理対象の販社識別子、製品識別子を用いて、在庫管理データ記憶部２５に記録された現在の在庫数を取得する。
【００５５】
次に、管理コンピュータ２１は、在庫数に基づいて適正在庫を維持できるように生産数を修正する（ステップＳ３−４）。まず、管理コンピュータ２１は、処理対象の販社識別子、製品識別子を用いて、適正在庫データ記憶部２６から適正在庫数を取得する。そして、管理コンピュータ２１は、先に取得した現在の在庫数から適正在庫数を差し引いた差分を算出する。そして、管理コンピュータ２１は、特定した生産計画の週初の値から、この差分を差し引くことにより、生産数を修正する。これにより、週初の在庫数は適正在庫数に一致する。
【００５６】
処理対象として特定した販社識別子、製品識別子の製品についての処理を終了した場合、まだ週次修正処理を終了していない週次管理対象製品を特定し、各ステップＳ３−１〜Ｓ３−４を繰り返す。すべての週次管理対象の製品に対して、週次修正処理を終了した場合には、図８の処理に戻る。
【００５７】
ここでは、管理コンピュータ２１は、生産総数算出処理を実行する（ステップＳ１−５）。この生産総数算出処理では、すべての日次生産計画を、計画日毎、製品識別子毎に合計して、全体の生産計画を修正する。この生産計画は、生産区システム３０に提供され、生産区は、この生産計画に基づいて各製品の生産を行なう。
【００５８】
以上、本実施形態によれば、以下に示す効果を得ることができる。
・  上記実施形態では、販売計画データ記憶部２３には、各販社で販売される各製品の販売計画に関する販売計画データ２３０が格納される。この販売計画データ２３０は、計画月、販社識別子、製品識別子及び販売計画数に関するデータを含んで構成される。そして、管理コンピュータ２１は、取得した販売計画数の日ばらし処理を実行する（ステップＳ２−２）。更に、管理コンピュータ２１は、現在の在庫数を取得する（ステップＳ２−３）。次に、管理コンピュータ２１は、日次生産数を算出し（ステップＳ２−４）、日次生産計画を記録する（ステップＳ２−５）。これにより、月次管理の製品や週次管理の製品のように、管理サイクルが異なるものが混在している場合にも、同じプロセスで統合して管理することができる。従って、製品の管理の状況に合わせて、管理システムを共通にして構築することができるので、効率的に在庫管理を行なうことができる。
【００５９】
・  上記実施形態では、管理コンピュータ２１は、週次管理対象を特定し（ステップＳ３−１）、生産計画を取得する（ステップＳ３−２）。そして、管理コンピュータ２１は、現在の在庫数を取得し（ステップＳ３−３）、在庫数に基づいて適正在庫を維持できるように生産数を修正する（ステップＳ３−４）。これにより、管理サイクルが異なるものが混在している場合にも、同じプロセスで統合して管理することができる。従って、販売量の変化の激しい製品についても、変化に追従させて生産管理を行なうことができる。
【００６０】
なお、上記実施形態は、以下の態様に変更してもよい。
○  上記実施形態では、週次管理と月次管理とを統合して管理を行なうが、これに限定されるものではなく、期間の異なるもの（例えば、隔週や隔月管理）を混在させて管理を行なう場合に適用できる。
【００６１】
○  上記実施形態では、週次管理と月次管理の２種類の対象を統合して管理を行なうが、これに限定されるものではなく、更に多くの種類の期間のものを混在させて管理を行なうこともできる。この場合にも、その期間毎に修正処理を行なう。
【００６２】
○  上記実施形態では、販売計画データ記憶部２３には、各販社で販売される各製品の販売計画に関する販売計画データ２３０が格納されている。この販売計画データ２３０の販売計画数は、計画月に、販社が販売を予定している予定数（総数）を記録する。これに代えて、販社システム１０から、日次販売数量を取得して、販売計画データ記憶部２３に記録してもよい。この場合には、販売計画数の日ばらし処理を省略することができる。
【図面の簡単な説明】
【００６３】
【図１】本発明の一実施形態のシステムの概略図。
【図２】管理形態データ記憶部に記録されたデータの説明図。
【図３】販売計画データ記憶部に記録されたデータの説明図。
【図４】生産計画データ記憶部に記録されたデータの説明図。
【図５】在庫管理データ記憶部に記録されたデータの説明図。
【図６】適正在庫データ記憶部に記録されたデータの説明図。
【図７】日ばらしデータ記憶部に記録されたデータの説明図。
【図８】本発明の一実施形態の処理手順の説明図。
【図９】本発明の一実施形態の処理手順の説明図。
【図１０】本発明の一実施形態の処理手順の説明図。
【符号の説明】
【００６４】
１０…販社システム、２０…在庫管理装置としての生販管理サーバ、２１…管理コンピュータ、２２…管理形態データ記憶手段としての管理形態データ記憶部、２３…販売計画データ記憶手段としての販売計画データ記憶部、２４…生産計画データ記憶部、２５…在庫管理データ記憶手段としての在庫管理データ記憶部、２６…適正在庫データ記憶手段としての適正在庫データ記憶部、２７…日ばらしデータ記憶部、３０…生産区システム。
【図１】
2007094717.tif 000003
【図２】
2007094717.tif 000004
【図３】
2007094717.tif 000005
【図４】
2007094717.tif 000006
【図５】
2007094717.tif 000007
【図６】
2007094717.tif 000008
【図７】
2007094717.tif 000009
【図８】
2007094717.tif 000010
【図９】
2007094717.tif 000011
【図１０】
2007094717.tif 000012